(57)【要約】【課題】本発明の目的は、適度な揮散速度で揮散可能であり、しかも揮発開始時から揮発終了時まで揮散速度を安定に維持できる芳香液を提供することである。【解決手段】(A)香料、(B)２０℃における蒸気圧が０．２０ｋＰａ以上のパラフィン系炭化水素を２０〜５０重量％、及び(C)２０℃における蒸気圧が０．０５ｋＰａ以下の有機溶剤を３５〜６５重量％含む芳香液は、適度な揮散速度で揮散可能であり、しかも揮発開始時から揮発終了時まで香料の揮散速度を安定に維持できる。【選択図】なし【特許請求の範囲】
【請求項１】
(A)香料、
(B)２０℃における蒸気圧が０．２０ｋＰａ以上のパラフィン系炭化水素を２０〜５０重量％、及び
(C)２０℃における蒸気圧が０．０５ｋＰａ以下の有機溶剤を３５〜６５重量％
を含有する芳香液。
【請求項２】
前記(A)成分として、２５℃における蒸気圧が０．００１ｋＰａ未満である香料を含む、請求項１に記載の芳香液。
【請求項３】
前記(B)成分が、イソパラフィンである、請求項１又は２に記載の芳香液。
【請求項４】
前記(C)成分が、パラフィン系炭化水素である、請求項１又は２に記載の芳香液。
【請求項５】
開口部を有する容器と、
前記容器に収容された請求項１〜４のいずれかに記載の芳香液と、
前記芳香液を吸液して揮散させる揮散部材とを備え、
前記揮散部材の少なくとも一部が前記開口部から容器外に露出するように配置されている、揮散器。
【請求項６】
前記揮散部材が、棒状に加工したポリマー繊維である、請求項５に記載の揮散器。
【発明の詳細な説明】
【技術分野】
【０００１】
本発明は、適度な揮散速度で揮散可能であり、しかも揮発開始時から揮発終了時まで香料の揮散速度を安定に維持できる芳香液に関する。
【背景技術】
【０００２】
室内空間や収納空間の臭気による不快感をなくし、快適な空間を生み出すために、香料を配合した芳香液が広く使用されている（例えば、特許文献１参照）。芳香液では、適度な揮散速度で揮散でき、しかも使用初期から使用終点に至るまで一定の速度で香料が揮散されることが理想的である。しかしながら、芳香液の揮散に伴って、芳香液の組成が変化したり、芳香液を揮散させる揮散部材の揮散能力が劣化したりするため、使用初期から使用終点に至るまで芳香液の揮散速度を一定に維持できないことがある。特に、デバイス等の電子機器での制御を行わず、芳香液を自然揮散させる場合には、使用期間の経過と共に香料の揮散速度が低下し易いという欠点がある。そのため、適度な揮散速度で揮散可能であり、しかも揮発開始時から揮発終了時まで揮散速度を安定に維持できる芳香液の開発が望まれている。
【０００３】
一方、近年、香水調等の香調を楽しめる芳香液に対する消費者ニーズの高まりを受けて、様々な香調の芳香液が種々開発されている。また、多様化する消費者ニーズに追従する上で、ボトムノートの香料を使用して調香されている芳香液の開発も望まれている。
【０００４】
しかしながら、ボトムノートの香料は、それ自体の蒸気圧が低いため、当該香料を含む芳香液では、使用期間の経過と共に香料の揮散速度が低下する傾向が顕著に現れるという問題点がある。また、従来技術では、ボトムノートの香料を含む芳香液において、揮発開始時から揮発終了時まで香料の揮散速度を安定に維持させようとすると、芳香液の揮散速度自体が速くなり過ぎたり、また遅くなり過ぎたりするため、適度の強さの香気を持続的に放出させることが困難であった。そのため、ボトムノートの香料を含む芳香液では、適度な揮散速度で、且つ揮発開始時から揮発終了時まで揮散速度を安定に維持できるように設計することがとりわけ強く求められている。
【先行技術文献】
【特許文献】
【０００５】
【特許文献１】特開2007-105447号公報
【発明の概要】
【発明が解決しようとする課題】
【０００６】
本発明の目的は、適度な揮散速度で揮散可能であり、しかも揮発開始時から揮発終了時まで揮散速度を安定に維持できる芳香液を提供することである。
【課題を解決するための手段】
【０００７】
本発明者は、前記課題を解決すべく鋭意検討を行ったところ、(A)香料、(B)２０℃における蒸気圧が０．２０ｋＰａ以上のパラフィン系炭化水素を２０〜５０重量％、及び(C)２０℃における蒸気圧が０．０５ｋＰａ以下の有機溶剤を３５〜６５重量％含む芳香液は、適度な揮散速度で揮散可能であり、しかも揮発開始時から揮発終了時まで香料の揮散速度を安定に維持できることを見出した。特に、当該芳香液は、香料として、ボトムノートの香料を含んでいても、使用期間中に香料の揮散速度の変化が少なく、安定した香料の揮散速度を実現できることを見出した。本発明は、かかる知見に基づいて、更に検討を重ねることにより完成したものである。
【０００８】
即ち、本発明は、下記に掲げる態様の発明を提供する。
項１．  (A)香料、
(B)２０℃における蒸気圧が０．２０ｋＰａ以上のパラフィン系炭化水素を２０〜５０重量％、及び
(C)２０℃における蒸気圧が０．０５ｋＰａ以下の有機溶剤を３５〜６５重量％
を含有する芳香液。
項２．  前記(A)成分として、２５℃における蒸気圧が０．００１ｋＰａ未満である香料を含む、項１に記載の芳香液。
項３．  前記(B)成分が、イソパラフィンである、項１又は２に記載の芳香液。
項４．  前記(C)成分が、パラフィン系炭化水素である、項１又は２に記載の芳香液。
項５．  開口部を有する容器と、
前記容器に収容された項１〜４のいずれかに記載の芳香液と、
前記芳香液を吸液して揮散させる揮散部材とを備え、
前記揮散部材の少なくとも一部が前記開口部から容器外に露出するように配置されている、揮散器。
項６．  前記揮散部材が、棒状に加工したポリマー繊維である、項５に記載の揮散器。
【発明の効果】
【０００９】
本発明の芳香液によれば、適度な揮散速度で揮散可能であり、しかも使用初期と使用後期との揮散速度の差が小さく、使用後期においても安定して揮散されるので、室内空間等を持続的に快適な香気で満たすことができる。
【００１０】
また、本発明によれば、ボトムノートの香料が含まれていても、適度な揮散速度を実現しつつ、揮発開始時から揮発終了時まで香料の揮散速度を安定に維持できるので、ボトムノートの香料を利用した嗜好性の高い香調の芳香液の提供も可能になる。
【発明を実施するための形態】
【００１１】
１．芳香液
本発明の芳香液は、(A)香料、(B)２０℃における蒸気圧が０．２０ｋＰａ以上の有機溶剤を２０〜５０重量％、及び(C)２０℃における蒸気圧が０．０５ｋＰａ以下の有機溶剤を３５〜６５重量％含むことを特徴とする。本発明では、芳香液において、香料と共に、溶剤として、２０℃における蒸気圧が０．２０ｋＰａ以上の有機溶剤と２０℃における蒸気圧が０．０５ｋＰａ以下の有機溶剤とを特定の含有量で組み合わせて含むことによって、たとえボトムノートの香料を含んでいても、適度な揮散速度で揮散可能であり、しかも使用期間中に香料の揮散速度の変化が少なく、安定した揮散速度を実現することが可能になる。以下、本発明の芳香液について、詳述する。
【００１２】
［(A)香料］
本発明の芳香液は、香気を呈させるために香料（以下、(A)成分と表記することがある）を含む。本発明で使用される香料は、天然香料、天然香料から分離された単品香料、合成された単品香料、及びこれらの調合香料のいずれであってもよく、従来公知の油性香料を使用することができる。こ
【００１３】
具体的には、単品香料として、リモネン、カリオフィレン、ピネン、ミルセン、ターピノレン、オシメン、ターピネン、フェランドレン、ｐ−サイメン、カリオフィレン、ファルネセン、1,3,5−ウンデカトリエン、ジフェニルメタン等の炭化水素系香料；シス-3-ヘキセノール、リナロール、ゲラニオール、フェニルエチルアルコール、トランス-2-ヘキセノール、シス-3-ヘキセノール、3-オクタノール、1-オクテン-3-オール、2、6-ジメチル-2-ヘプタノール、9-デセノール、4-メチル-3-デセン-5-オール、10-ウンデセノール、トランス-2-シス-6-ノナジエタノール、リナロール、ゲラニオール、ネロール、シトロネロール、ロジノール、ミルセノール、ラバンジュロール、テオラヒドロゲラニオール、テトラヒドロリナロール、ヒドロキシシトロネロール、ジヒドロミルセノール、アロオキシメノール、ターピネオール、α-ターピネオール、ターピネン-4-オール、メントール、ボルネオール、イソプレゴール、ノポール、ファルネソール、ネロリドール、セドロール、パチュリアルコール、ベチベロール、2,4-ジメチル-3-シクロヘキセン-1-メタノール、4-イソプロピルシクロヘキサノール、4-イソプロピルシクロヘキサンメタノール、1-（4-イソプロピルシクロヘキシル）-エタノール、2,2-ジメチル-3-（3-メチルフェニル）-プロパノール、ｐ−ｔ-ブチルシクロヘキサノール、o-t-ブチルシクロヘキサノール、アンブリノール、1-（2-ｔ-ブチルシクロヘキシルオキシ）-2-ブタノール、ペンタメチルシクロヘキシルプロパノール、1-(2,2,6-トリメチルシクロヘキシル)-3-ヘキサノール、ベンジルアルコール、フェニルエチルアルコール、フェノキシエチルアルコール、スチラリルアルコール、アニスアルコール、シンナミックアルコール、フェニルプロピルアルコール、ジメチルベンジルカルビノール、ジメチルフェニルエチルカルビノール、フェニルエチルメチルエチルカルビノール、3-メチル-5-フェニルペンタノール、チモール、カルバクロール、オルシノールモノメチルエーテル、オイゲノール、イソオイゲノール、プロペニルグアエトール、サンタロール、イソボルニルシクロヘキサノール、サンダロア、バグダノール、サンダルマイソルコア、ブラマノール、エバノール、ポリサントール、3,7-ジメチル-7-メトキシオクタン-2-オール、2-エチル-4-(2,2,3-トリメチル-3-シクロペンテン-1-イル)-2-ブテン-1-オール（バクダノール）等のアルコール系香料；ジフェニルオキシド、p-クレジルエチルエーテル、dl-ローズオキシド、（ネロールオキサイド、ミロキサイド、1,8-シネオール、ローズオキサイド、リメトール、メントフラン、リナロールオキサイド、ブチルジメチルジヒドロキシピラン、アセトキシアミルテトラヒドロピラン、セドリルメチルエーテル、メトキシシクロドデカン、1-メチル-1-メトキシシクロドデカン、エトキシメチルシクロドデシルエーテル、トリクロデセニルメチルエーテル、ルボフィックス、セドロキサイド、アンブロキサン、グリサルバ、ボワジリス、アニソール、ジメチルハイドロキノン、パラクレジルメチルエーテル、アセトアニソール、アネトール、ジヒドロアネトール、エストラゴール、ジフェニルオキサイド、メチルオイゲノール、フェニルエチルイソアミルエーテル、β-ナフチルメチルエーテル、β-ナフチルイソブチル���ーテル）等のエーテル系香料；ヘキサナール、シトラール、ヘキシルシンナミックアルデヒド、ヘキシルアルデヒド、オクチルアルデヒド、ノニルアルデヒド、デシルアルデヒド、
ウンデシルアルデヒド、ドデシルアルデヒド、トリデシルアルデヒド、トリメチルヘキシルアルデヒド、メチルオクチルアセチルアルデヒド、メチルノニルアセトアルデヒド、トランス-2-ヘキセナール、シス-4-ヘプテナール、2,6-ノナジエナール、シス-4-デセナール、トランス-4-デセナール、ウンデシレンアルデヒド、トランス-2-ドデセナール、トリメチルウンデセナール、2,6,10-トリメチル-5,9-ウンデカジエナール、シトロネラール、ヒドロキシシトロネラール、ペリラルデヒド、メトキシジヒドロシトロネラール、シトロネリルオキシアセトアルデヒド、2,4-ジメチル-3-氏クロヘキセニルカルボキシアルデヒド、イソシクロシトラール、センテナール、マイラックアルデヒド、リラール、ベルンアルデヒド、デュピカール、マセアール、ボロナール、セトナール、ベンズアルデヒド、フェニルアセトアルデヒド、フェニルプロピルアルデヒド、シンナミックアルデヒド、α-アミルシンナミックアルデヒド、α-ヘキシルシンナミックアルデヒド、ヒドロトロピックアルデヒド、アニスアルデヒド、p-メチルフェニルアセトアルデヒド、クミンアルデヒド、シクラメンアルデヒド、3-(p-t-ブチルフェニル)-プロピルアルデヒド、p-エチル-2,2-ジメチルヒドロシンナムアルデヒド、2-メチル-3-(p-メトキシフェニル)-プロピルアルデヒド、p-t-ブチル-α-メチルヒドロシンナミックアルデヒド、サリチルアルデヒド、ヘリオトロピン、ヘリオナール、バニリン（4-ヒドロキシ-3-メトキシベンザルアルデヒド）、エチルバニリン、メチルバニリン等のアルデヒド系香料；オクチルアルデヒドグリコールアセタール、アセトアルデヒドエチルシス-3-ヘキセニルアセタール、シトラールジメチルアセタール、シトラールジエチルアセタール、アセトアルデヒドエチルリナリルアセタール、アセトアルデヒドエチルリナリルアセタール、ヒドロキシシトロネラールジメチルアセタール、フェニルアセトアルデヒドジメチルアセタール、ヒドラトロピックアルデヒドジメチルアセタール、フェニルアセトアルデヒドヒドグリセリルアセタール、アセトアルデヒドエチルフェニルアセタール、アセトアルデヒドフェニルエチルプロピルアセタール、フェニルプロピルアルデヒドプロピレングリコールアセタール、4,4,6-トリメチル-2-ベンジル-1,3-ジオキサン、2,4,6-トリメチル-2-フェニル-1,3-ジオキサン、2-ブチル-4,4,6-トリメチル-1,3-ジオキサン、テトラヒドロインデノ-m-ジオキシン、ジメチルテトラヒドロインデノ-m-ジオキシン、カラナール等のアセタール系香料；エチルブチレート、スチラリルアセテート、o-t-ブチルシクロへキシルアセテート、蟻酸エチル、蟻酸シス-3-ヘキセニル、蟻酸リナリル、蟻酸シトロネリル、蟻酸ゲラニル、蟻酸ベンジル、蟻酸フェニルエチル、酢酸エチル、酢酸ブチル、酢酸イソアミル、シクロペンチリデン酢酸メチル、酢酸ヘキシル、酢酸シス-3-ヘキセニル、酢酸トランス-3-ヘキセニル、酢酸イソノニル、酢酸シトロネリル、酢酸ラバンジュリル、酢酸ゲラニル、酢酸リナリル、酢酸ミルセニル、酢酸ターピニル、酢酸メンチル、酢酸メンタニル、酢酸ノピル、酢酸n-ボルニル、酢酸イソボルニル、酢酸p-t-ブチルシクロヘキシル、酢酸o-t-ブチルシクロヘキシル、酢酸トリシクロデセニル、酢酸 2,4-ジメチル-3-シクロヘキセン-1-メタニル、���酸ベンジル、酢酸フェニルエチル、酢酸スチラリル、酢酸シンナミル、酢酸アニシル、酢酸パラクレジル、酢酸ヘリオトロピル、アセチルオイゲノール、アセチルイソオイゲノール、酢酸グアイル、酢酸セドリル、酢酸ベチベリル、酢酸デカヒドロβナフチル、プロピオン酸エチル、プロピオン酸イソアミル、プロピオン酸シロネリル、プロピオン酸シロネリル、プロピオン酸ゲラニル、プロピオン酸リナリル、プロピオン酸ターピニル、プロピオン酸ベンジル、プロピオン酸シンアミル、シクロヘキシルプロピオン酸アリル、プロピオン酸トリシクロデセニル、酪酸エチル、2-メチル酪酸エチル、酪酸ブチル、酪酸イソアミル、酪酸ヘキシル、酪酸リナリル、酪酸ゲラニル、酪酸シトロネリル、酪酸ベンジル、イソ酪酸シス-3-ヘキセニル、イソ酪酸シトロネリル、イソ酪酸ゲラニル、イソ酪酸リナリル、イソ酪酸ベンジル、イソ酪酸フェニルエチル、イソ酪酸フェノキシエチル、イソ酪酸トリシクロデセニル、吉草酸エチル、吉草酸プロピル、イソ吉草酸シトロネリル、イソ吉草酸ゲラニル、イソ吉草酸シンアミル、イソ吉草酸ベンジル、イソ吉草酸フェニルエチル、カプロン酸エチル、カプロン酸アリル、エナント酸エチル、エナント酸アリル、カプリン酸エチル、チグリン酸シトロネリル、オクチンカルンボン酸メチル、2-ペンチロキシグリコール酸アリル、シス-3-ヘキセニルメチルカーボネート、ケト酸エチル、ピルビン酸イソアミル、アセト酸エチル、レブリン酸エチル、安息香酸メチル、安息香酸エチル、安息香酸イソブチル、安息香酸イソアミル、安息香酸ゲラニル、安息香酸リナリル、安息香酸ベンジル、安息香酸フェニルエチル、安息香酸フェニルエチル、ジヒドロキシメチル安息香酸メチル、フェニル酢酸メチル、フェニル酢酸メチル、フェニル酢酸エチル、フェニル酢酸イソブチル、フェニル酢酸イソアミル、フェニル酢酸ゲラニル、フェニル酢酸ベンジル、フェニル酢酸フェニルエチル、フェニル酢酸p-クレジル、桂皮酸メチル、桂皮酸エチル、桂皮酸ベンジル、桂皮酸シンアミル、桂皮酸フェニルエチル、サリチル酸メチル、サリチル酸エチル、サリチル酸イソブチル、サリチル酸イソアミル、サリチル酸ヘキシル、サリチル酸シス-3-ヘキセニル、サリチル酸ベンジル、サリチル酸フェニルエチル、アニス酸メチル、アニス酸エチル、アンスラニル酸メチル、アンスラニル酸エチル、メチルアンスラニル酸メチル、ジャスモン酸メチル、ジヒドロジャスモン酸メチル、メチルフェミルグリシド酸エチル、フェニルグリシド酸エチル、グリコメル、フラクトン、フレイストン、フルテート、ジベスコン、エチル2-メチル-6-ペンチル-4-オキサ-2-シクロヘキセンカーボネート等のエステル系香料；2-オクタノン、δ-ダマスコン、アセトイン、ジアセチル、ミチルアミルケトン、エチルアミルケトン、メチルヘキシルケトン、メチルノニルケトン、メチルヘプテノン、コアボン、カンファー、カルボン、メントン、d-プレゴン、ピペリトン、フェンチョン、ゲラニルアセトン、セドリルメチルケトン、ヌートカトン、イオノン、α-イオノン、β-イオノン、メチルイオノン、α-n-メチルイオノン、β-n-メチルイオノン、α-イソイオノン、β-イソイオノン、アリルイオノン、イロン、α-イロン、β-イロン、γ-イロン、ダマス���ン、α-ダマスコン、β-ダマスコン、δ-ダマスコン、ダマセノン、ダイナスコン、α-ダイナスコン、β-ダイナスコン、マルトール、エチルマルトール、2,5-ジメチル-4-ヒドロキシフランノン、シュガーラクトン、p-t-ブチルシクロヘキサノン、アミルシクロペンタノン、ヘプチルシクロペンタノン、ジヒドロジャスモン、シスージャスモン、フロレックス、プリカトン、4-シクロヘキシル-4-メチル-2-ペンタノン、p-メンテン-6-イルプロパノン、2,2,5-トリメチル-5-ペンチルシクロペンタノン、エトキシビニルテトラシクロヘキサノン、ジヒドロペンタメチルインダノン、7-アセチル-1,2,3,4,5,6,7,8-オクタヒドロ-1,1,6,7-テトラメチルナフタレン（イソ・イー・スーパー）、トリモフィックス、アセトフェノン、ｐ−メチルアセトフェノン、ベンジルアセトン、カローン、ラズベリーケトン、アニシルアセトン、4-(4-ヒドロキシ-3-メトキシフェニル)-2-ブタノン、メチルナフチルケトン、4-フェニル-4-メチル-2-ペンタノン、ベンゾフェノン等のケトン系香料；ゲラニル酸、シトロネリル酸、安息香酸、フェニル酢酸、フェニルプロピオン酸、桂皮酸、2-メチル-2-ペンテノ酸等のカルボン酸系香料；
γ-オクタラクトン、γーノナラクトン、γ-デカラクトン、γ-ウンデカラクトン、δ-デカラクトン、クマリン、ジヒドロクマリン、ジャスモラクトン、ジャスミンラクトン等のラクトン系香料；ムスコン、シベトン、シクロペンタデカノン、シクロヘキサデセノン、シクロペンタデカノリド、12-ケトシクロペンタデカノリド、シクロヘキサデカノリド、シクロヘキサデセノリド、12-オキサ-16-ヘキサデカノリド、11-ヘキサ-16-ヘキサデカノリド、10-オキサ-16-ヘキサデカノリド、エチレンブラシレート、エチレンドデカンジオエート、ムスクケトン（3,5-ジニトロ-2,6-ジメチル-4-tert-ブチルアセトフェノン）、ムスクキシロール、ムスクアンブレット、ムスクチベテン、ムスクモスケン、6-アセチルヘキサメチルインダン、4-アセチルジメチル-t-ブチルインダン、5-アセチルテトラメチルイソプロプルインダン、6-アセチルヘキサテトラリン、4,6,6,7,8,8-ヘキサメチル-1,3,4,6,7,8-ヘキサヒドロ-シクロペンタ-2-ベンゾピラン(Galaxolide)等のムスク系香料；アセチルピロール、インドール、スカトール、インドレン、2-アセチルピリジン、マリティマ、6-メチルキノリン、6-イソプロピルキノリン、イソブチルキノリン、2-アセチルピラジン、2,3-ジメチルピラジン、2-イソプロピル-3-メトキシピラジン、2-イソブチル-3-メトキシピラジン、2-セカンダリーブチル-3-メトキシピラジン、トリメチルピラジン、5-メチル-3-ヘプタンオキシム等の窒素含有香料；ゲラニルニトリル、シトロネリルニトリル、5-フェニル-2,6-ノナジエンニトリル、シナモンニトリル、クミンニトリル、ドデカンニトリル、トリデセン-2-ニトリルと等のニトリル系香料；ジメチルスルフィド、2-メチル-4-プロピル-1,3-オキサチアン、イソオシアン酸アリル、p-メンタン-8-チオール-3-オン、p-メンテン-8-チオール、p-メンチルチオプロピオン酸メチル等の硫黄含有香料等が例示される。また、天然香料としては、チュベローズ油、ムスクチンキ、カストリウムチンキ、シベットチンキ、アンバーグリスチンキ、ペパーミント油、ペリラ油、プチグレン油、パイン油、ローズ油、ローズマリー油、しょう脳油、芳油、クラリーセージ油、サンダルウッド油、スペアミント油、スパイクラベンダー油、スターアニス油、ラバンジン油、ラベンダー油、レモン油、レモングラス油、ライム油、ネロリ油、オークモス油、オコチア油、パチュリ油、タイム油、トンカ豆チンキ、テレピン油、ワニラ豆チンキ、バジル油、ナツメグ油、シトロネラ油、クローブ油、ボアドローズ油、カナンガ油、カルダモン油、カシア油、シダーウッド油、オレンジ油、マンダリン油、タンジェリン油、アニス油、ベイ油、コリアンダー油、エレミ油、ユーカリ油、フェンネル油、ガルバナム油、ゼラニウム油、ヒバ油、桧油、ジャスミン油、ベチバー油、ベルガモット油、イランイラン油、グレープフルーツ油、ゆず油、シナモン油、レモンユーカリ油、ホワイトタイム油、樟脳油等が挙げられる。これらの香料は、１種単独で使用してもよく、また２種以上を任意に組み合わせて調香して使用することもできる。
【００１４】
従来技術では、ボトムノートの香料は、それ自体の蒸気圧が低く、使用期間の経過と共に香料の揮散速度が低下する傾向が顕著に現れるという問題点があったが、本発明では、ボトムノートの香料を含んでいても、揮発開始時から揮発終了時まで安定して香料を揮散させることができる。このような本発明の効果を鑑みれば、本発明で使用される香料の好適な一態様として、少なくともボトムノートの香料を含んでいることが挙げられる。本発明において、ボトムノートの香料とは、２５℃における蒸気圧が０．００１ｋＰａ未満である香料である。ボトムノートの香料の代表例としては、例えば、2-エチル-4-(2,2,3-トリメチル-3-シクロペンテン-1-イル)-2-ブテン-1-オール（バクダノール）、4-ヒドロキシ-3-メトキシベンザルアルデヒド（バニリン）、7-アセチル-1,2,3,4,5,6,7,8-オクタヒドロ-1,1,6,7-テトラメチルナフタレン（イソ・イー・スーパー）、3,5-ジニトロ-2,6-ジメチル-4-tert-ブチルアセトフェノン（ムスクケトン）、4,6,6,7,8,8-ヘキサメチル-1,3,4,6,7,8-ヘキサヒドロ-シクロペンタ-2-ベンゾピラン(Galaxolide)、パチュリ油等が挙げられる。
【００１５】
本発明においてボトムノートの香料を使用する場合、使用する香料の総量に対して、ボトムノートの香料が占める割合については、特に制限されないが、例えば、使用する香料の総量１００重量部に対して、ボトムノートの香料が１〜１００重量部、好ましくは２〜６０重量部、更に好ましくは５〜５０重量部、特に好ましくは２０〜５０重量部が挙げられる。
【００１６】
本発明の芳香液における(A)成分の含有量については、使用する香料の種類、付与すべき香りの強さ等に応じて適宜設定すればよいが、例えば、３〜２０重量％、好ましくは５〜１５重量％、更に好ましくは７〜１０重量％が挙げられる。
【００１７】
［(B)２０℃における蒸気圧が０．２０ｋＰａ以上のパラフィン系炭化水素］
本発明の芳香液は、香料を溶解させる溶剤の一つとして、２０℃における蒸気圧が０．２０ｋＰａ以上のパラフィン系炭化水素（以下、(B)成分と表記することがある）を含む。
【００１８】
(B)成分として使用されるパラフィン系炭化水素は、２０℃における蒸気圧が０．２０ｋＰａ以上であればよいが、適度な揮散速度を実現しつつ、揮発開始時から揮発終了時までの香料の揮散速度をより一層効果的に一定に維持させるという観点から、２０℃における蒸気圧として、好ましくは０．２０〜１．８ｋＰａ、より好ましくは０．２０〜１．０ｋＰａ、更に好ましくは０．２０〜０．４０ｋＰａ、特に好ましくは０．２０〜０．２７が挙げられる。
【００１９】
２０℃における蒸気圧が０．２０ｋＰａ以上のパラフィン系炭化水素としては、イソパラフィン系炭化水素又はノルマルパラフィン系炭化水素のいずれであってもよいが、好ましくはイソパラフィン系炭化水素が挙げられる。
【００２０】
２０℃における蒸気圧が０．２０ｋＰａ以上のイソパラフィン系炭化水素としては、具体的には、炭素数８〜１２程度のイソパラフィンの混合物、好ましくは炭素数９〜１２程度のイソパラフィンの混合物、更に好ましくは炭素数１０〜１２程度のイソパラフィンの混合物が挙げられる。
【００２１】
２０℃における蒸気圧が０．２０ｋＰａ以上のノルマルパラフィン系炭化水素としては、例えば、炭素数６〜９程度の範囲内にあるノルマルパラフィンの単一物又はこれらの混合物、好ましくは炭素数７〜９程度の範囲内にあるノルマルパラフィンの単一物又はこれらの混合物、更に好ましくは炭素数８〜９程度のノルマルパラフィンの範囲内にあるノルマルパラフィンの単一物又はこれらの混合物が挙げられる。
【００２２】
本発明において、２０℃における蒸気圧が０．２０ｋＰａ以上の有機溶剤は、１種単独で使用してもよく、また２種以上を組み合わせて使用してもよい。
【００２３】
本発明の芳香液において、(B)成分の含有量は２０〜５０重量％である。適度な揮散速度を実現しつつ、揮発開始時から揮発終了時までの香料の揮散速度をより一層効果的に一定に維持させるという観点から、本発明の芳香液における(B)成分の含有量として、好ましくは２５〜４５重量％、更に好ましくは３５〜４５重量％が挙げられる。
【００２４】
［(C)２０℃における蒸気圧が０．０５ｋＰａ以下の有機溶剤］
本発明の芳香液は、香料を溶解させる溶剤の一つとして、２０℃における蒸気圧が０．０５ｋＰａ以下の有機溶剤（以下、(C)成分と表記することがある）を含む。
【００２５】
(C)成分として使用される有機溶剤は、２０℃における蒸気圧が０．０５ｋＰａ以下であればよいが、適度な揮散速度を実現しつつ、揮発開始時から揮発終了時までの香料の揮散速度をより一層効果的に一定に維持させるという観点から、２０℃における蒸気圧として、好ましくは０．００１〜０．０５ｋＰａ、更に好ましくは０．０１〜０．０５ｋＰａ、特に好ましくは０．０３〜０．０５ｋＰａが挙げられる。
【００２６】
２０℃における蒸気圧が０．０５ｋＰａ以下の有機溶剤の種類については、特に制限されないが、例えば、パラフィン系炭化水素、グリコールエーテル、アルコール系溶剤等が挙げられる。
【００２７】
２０℃における蒸気圧が０．０５ｋＰａ以下のパラフィン系炭化水素としては、イソパラフィン系炭化水素又はノルマルパラフィン系炭化水素のいずれであってもよいが、好ましくはイソパラフィン系炭化水素が挙げられる。
【００２８】
２０℃における蒸気圧が０．０５ｋＰａ以下のイソパラフィン系炭化水素としては、具体的には、炭素数１２〜１８程度のイソパラフィンの混合物、好ましくは炭素数１３〜１６程度の範囲内にあるイソパラフィンの単一物又はこれらの混合物、更に好ましくは炭素数１３〜１５程度の範囲内にあるイソパラフィンの単一物又はこれらの混合物が挙げられる。
【００２９】
２０℃における蒸気圧が０．０５ｋＰａ以下のノルマルパラフィン系炭化水素としては、例えば、炭素数１２〜１６程度の範囲内にあるノルマルパラフィンの単一物又はこれらの混合物、好ましくは炭素数１２〜１４程度の範囲内にあるノルマルパラフィンの単一物又はこれらの混合物、更に好ましくは炭素数１２〜１３程度の範囲内にあるノルマルパラフィンの単一物又はこれらの混合物が挙げられる。
【００３０】
２０℃における蒸気圧が０．０５ｋＰａ以下のグリコールエーテルは、モノアルキレングリコールモノアルキルエーテル、モノアルキレングリコールジアルキルエーテル、ポリアルキレングリコールモノアルキルエーテル、ポリアルキレングリコールジアルキルエーテルモノアルキレングリコールモノアリールエーテル、ポリアルキレングリコールモノアリールエーテル等のいずれであってもよい。２０℃における蒸気圧が７０Ｐａ以下のグリコールエーテルとして、具体的には、エチレングリコールモノヘキシルエーテル（２０℃における蒸気圧１Ｐａ）等のモノアルキレングリコールモノアルキルエーテル；ジプロピレングリコールモノメチルエーテル（２０℃における蒸気圧３７Ｐａ）、トリプロピレングリコールモノメチルエーテル（２０℃における蒸気圧３Ｐａ）、ジエチレングリコールモノイソプロピルエーテル（２０℃における蒸気圧７Ｐａ）、ジエチレングリコールモノブチルエーテル（２０℃における蒸気圧１Ｐａ）、トリエチレングリコールモノブチルエーテル（２０℃における蒸気圧１Ｐａ未満）、ジエチレングリコールモノイソブチルエーテル（２０℃における蒸気圧１Ｐａ）、ジエチレングリコールモノヘキシルエーテル（２０℃における蒸気圧１Ｐａ未満）、ブチルプロピレンジグリコール（２０℃における蒸気圧７Ｐａ）、ブチルプロピレントリグリコール（２０℃における蒸気圧１Ｐａ未満）等のポリアルキレングリコールモノアルキルエーテル；ジエチレングリコールジブチルエーテル（２０℃における蒸気圧１Ｐａ）等のポリアルキレングリコールジアルキルエーテル；プロピレングリコールモノフェニルエーテル（２０℃における蒸気圧１Ｐａ未満）、エチレングリコールモノフェニルエーテル（２０℃における蒸気圧１Ｐａ）、エチレングリコールモノベンジルエーテル（２０℃における蒸気圧３Ｐａ）等のモノアルキレングリコールモノアリールエーテル；ジエチレングリコールモノフェニルエーテル（２０℃における蒸気圧１Ｐａ未満）、トリエチレングリコールモノフェニルエーテル（２０℃における蒸気圧１Ｐａ未満）、ジエチレングリコールモノベンジルエーテル（２０℃における蒸気圧１Ｐａ未満）等のポリアルキレングリコールモノアリールエーテル等が挙げられる。
【００３１】
２０℃における蒸気圧が０．０５ｋＰａ以下のアルコール系溶剤としては、例えば、ジプロピレングリコール、ベンジルアルコール等が挙げられる。
【００３２】
本発明において、２０℃における蒸気圧が０．０５ｋＰａ以下の有機溶剤は、１種単独で使用してもよく、また２種以上を組み合わせて使用してもよい。
【００３３】
２０℃における蒸気圧が０．０５ｋＰａ以下の有機溶剤の中でも、好ましくはイソパラフィン系炭化水素が挙げられる。
【００３４】
本発明の芳香液において、(C)成分の含有量は３５〜６５重量％である。適度な揮散速度を実現しつつ、揮発開始時から揮発終了時までの香料の揮散速度をより一層効果的に一定に維持させるという観点から、本発明の芳香液における(C)成分の含有量として、好ましくは３８〜５８重量％、更に好ましくは３８〜４８重量％が挙げられる。
【００３５】
また、本発明の芳香液において、(B)成分と(C)成分の比率については、前述する各含有量に応じた値であればよいが、適度な揮散速度を実現しつつ、揮発開始時から揮発終了時までの香料の揮散速度をより一層効果的に一定に維持させるという観点から、(B)成分１００重量部当たり、(C)成分が７０〜３３０重量部、好ましくは８０〜２３５重量部、更に好ましくは８０〜１４０重量部が挙げられる。
【００３６】
［溶解助剤］
本発明の芳香液には、香料を可溶化させるために、香料に対する溶解剤が含まれていてもよい。
【００３７】
溶解剤の種類については、特に制限されないが、例えば、１価アルコール、多価アルコール等が挙げられる。
【００３８】
１価アルコールとしては、具体的には、３−メトキシー３−メチル−１−ブタノール、メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール等が挙げられる。
【００３９】
多価アルコールとしては、具体的には、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等が挙げられる。
【００４０】
これらの溶解剤は、１種単独で使用してもよく、また２種以上を組み合わせて使用してもよい。
【００４１】
これらの溶解剤の中でも、好ましくは１価アルコール、更に好ましくは３−メトキシー３−メチル−１−ブタノールが挙げられる。
【００４２】
本発明の芳香液における溶解剤の含有量については、使用する溶解剤の種類、香料の含有量等に応じて適宜設定すればよいが、例えば、１〜２０重量％、好ましくは３〜１５重量％、更に好ましくは５〜１０重量％が挙げられる。
【００４３】
［その他の成分］
本発明での芳香液には、前述した揮成分以外に、本発明の効果を妨げないことを限度として、他の添加剤を含有してもよい。このような他の添加剤としては、例えば、殺虫剤、抗菌剤、害虫忌避剤、酸化防止剤、紫外線吸収剤、防腐剤、界面活性剤、増粘剤、ｐＨ調製剤、消臭剤、キレート剤、着色剤等が挙げられる。
【００４４】
［揮散方法］
本発明の芳香液を揮散させる方法については、特に制限されず、従来の芳香液の場合と同様に、開口部を有する容器に芳香液を収容して揮散させればよい。
【００４５】
また、本発明の芳香液を容器に収容して揮散させる場合、揮散部材を使用して、芳香液を揮散部材に吸液させて揮散させることが好ましい。
【００４６】
揮散部材は、本発明の芳香液を吸液可能であって、揮散部材の少なくとも一部が容器の開口部から容器外に露出できるように構成されていればよい。揮散部材は、例えば、容器内の芳香液を吸上げる機能と揮散させる機能を一体として含み、容器に収容された芳香液に直接接液するように構成されていてもよい。また、例えば、揮散部材は、容器内の芳香液を吸上げる機能を有する吸上部材が連結され、当該吸上部材を介して容器内の芳香液が供給されて吸液し、芳香液を揮散するように構成されていてもよい。
【００４７】
揮散部材の素材については、本発明の芳香液を吸液して揮散できることを限度として特に制限されないが、例えば、植物繊維、パルプ等の天然繊維、ナイロン、ポリエステル（ポリエチレンテレフタレート、ポリブチレンテレフタレート、ポリエチレンナフタレート等）、アクリル、ビニロン、ポリオレフィン（ポリプロピレン、ポリエチレン等）、ポリウレタン等の合成繊維、又はそれらの混合繊維等の繊維質材料；木片、籐、竹、ソラ等の木質材料；発泡ウレタンの樹脂製スポンジ材料等が挙げられる。
【００４８】
揮散部材の形状については、特に制限されず、棒状、シート状、帯状、紐状等のいずれであってもよい。揮散部材が繊維質材料で形成されている場合、合成樹脂製のポリマー繊維を棒状に加工した揮散部材（樹脂スティック）であってもよく、また、不織布、織物、編物等であってもよい。
【００４９】
揮散部材として、好ましくは、合成樹脂製のポリマー繊維を棒状に加工した揮散部材（樹脂スティック）、木質材料を棒状に加工した揮散部材、更に好ましくは、合成樹脂製のポリマー繊維を棒状に加工した揮散部材（樹脂スティック）が挙げられる。
【００５０】
また、揮散部材に容器内の芳香液を吸上げる機能を備えさせず、揮散部材に吸上部材を連結する場合、当該吸上部材の素材や形状等についても、特に制限されず、前記揮散部材と同様の素材や形状のものを使用すればよい。
【００５１】
本発明の芳香液を収容する容器の素材についても、特に制限されず、プラスチック製、ガラス製、陶器製等のいずれであってもよく、また、透明、不透明、半透明等のいずれであってもよく、インテリア性等を考慮して適宜設定すればよい。
【００５２】
２．揮散器
本発明の揮散器として、開口部を有する容器と、当該容器に収容された前記芳香液と、前記芳香液を吸液して揮散させる揮散部材とを備え、且つ当該揮散部材の少なくとも一部が前記開口部から容器外に露出するように配置されていることを特徴とする。
【００５３】
本発明の揮散器において、使用する芳香液、容器、揮散部材等については、前述する通りである。
【実施例】
【００５４】
以下に実施例及び比較例を示して本発明を更に詳細に説明するが、本発明はこれらに限定されない。
【００５５】
試験例１
表１及び２に示す組成の芳香液を調製した。各芳香液５０ｍｌを開口部を有するガラス製透明容器（容積約６７ｍＬ、容器内底面積９．６２ｍｍ、開口部の内径１４．２ｍｍ）に収容し、棒状に加工されたポリマー繊維からなる揮散部材（円柱状、直径約３ｍｍ、長さ１８０ｍｍ、組成：ポリエチレンテレフタレート／ポリウレタン＝９５／５（重量比））６本を容器の開口部から挿入し、下方を芳香液に浸漬させ、上方を容器外に露出させて、揮散器を準備した。この揮散器を２７℃下に静置し、揮散器全体の重量変化を経時的に観察し、以下の算出式に従って、揮散速度の維持率を求めた。また、芳香液が全て揮散されるまでに要した日数（持続日数）についても求めた。
【００５６】
【数１】
2020000420.tif 000002
【００５７】
結果を表１及び２に示す。この結果、ボトムノートの香料を含む芳香液であっても、２０℃における蒸気圧が０．２０ｋＰａ以上の有機溶剤を２０〜５０重量％、且つ２０℃における蒸気圧が０．０５ｋＰａ以下の有機溶剤を３５〜６５重量％含む場合には、持続日数が３０〜５０日と適度でありながら、揮散速度の維持率を７０％以上と高く保持できることが確認された。
【００５８】
【表１】
2020000420.tif 000003
【００５９】
【表２】
2020000420.tif 000004
【００６０】
試験例２
表３に示す組成の芳香液を調製した。各芳香液５０ｍｌを開口部を有するガラス製透明容器（容積約６７ｍＬ、容器内底面積９．６２ｍｍ、開口部の内径１４．２ｍｍ）に収容し、棒状に加工されたポリマー繊維からなる揮散部材（円柱状、直径約３ｍｍ、長さ１８０ｍｍ、組成：ポリエチレンテレフタレート／ポリウレタン＝９５／５（重量比））６本を容器の開口部から挿入し、下方を芳香液に浸漬させ、上方を容器外に露出させて、揮散器を準備した。この揮散器を２７℃下に静置し、揮散器全体の重量変化を経時的に観察し、以下の算出式に従って、揮散速度の維持率を求めた。また、芳香液が全て揮散されるまでに要した日数（持続日数）についても求めた。
【００６１】
【数２】
2020000420.tif 000005
【００６２】
結果を表３に示す。この結果からも、ボトムノートの香料を含む芳香液において、２０℃における蒸気圧が０．２０ｋＰａ以上の有機溶剤を２０〜５０重量％、且つ２０℃における蒸気圧が０．０５ｋＰａ以下の有機溶剤を３５〜６５重量％含む場合には、適度な持続日数でありながら、揮散速度の維持率を７０％以上と高く保持できていた。
【００６３】
【表３】
2020000420.tif 000006